(57)【特許請求の範囲】
【請求項１】
基礎床上に弾性台座を介して立設された支持脚群によって複数の床下地パネルを所定高さレベルに支持して二重床の床下地を形成し、その上に床仕上材を敷設した床構造において、床下地パネルと床仕上材との間に、曲げ強度３５〜５０（Ｎ／ｍｍ2 ）、曲げヤング係数４，０００〜５，０００（Ｎ／ｍｍ2 ）、及び密度０．８〜１．２（ｇ／ｃｍ3 ）のハードボード又は高密度繊維板を敷設して、上から順に前記床仕上材、前記ハードボード又は高密度繊維板、前記床下地パネルの三枚を重ねた三層構造にしたことを特徴とする遮音性床構造。
【請求項２】
前記支持脚は、弾性台座と、該弾性台座に回動自在に立設された中空支持ボルトと、該中空支持ボルトの上端部に螺合されたレベル調整用ナットを介して高さ調整自在に装着された支持板とからなるユニット支持脚であって、上記弾性台座は中空支持ボルトの下端部を収容する穴部を有すると共に、弾性台座の下面に少なくとも１つの溝部が形成されており、上記穴部から上記溝部内に連通する少なくとも１つの連通孔が形成されていることを特徴とする請求項１に記載の遮音性床構造。
【請求項３】
前記中空支持ボルトの弾性台座の穴部内に収容される部分の所定位置に、横方向に膨出した突出部が形成され、一方、弾性台座の穴部には、穴部内周面に上記中空支持ボルトの突出部を収容するための凹部が形成されており、かつ、穴部底面から側面にかけて前記連通孔と連通する少なくとも１つの溝部が形成されていることを特徴とする請求項２に記載の遮音性床構造。
【請求項４】
前記弾性台座は、さらに基礎床と接する下面に少なくとも３個以上の突起を設けたものであることを特徴とする請求項２又は３に記載の遮音性床構造。
【請求項５】
前記支持板の上面に仮止め用粘着シートと接着剤流動部を有することを特徴とする請求項２乃至４のいずれか一項に記載の遮音性床構造。
【発明の詳細な説明】
【０００１】
【発明の属する技術分野】
本発明は、二重床の遮音性床構造に関し、さらに詳しくは、集合住宅等の各種建物において既存の基礎床面との間に空間を形成して二重床を構築する乾式置床工法による遮音性床構造に関する。
【０００２】
【従来の技術】
基礎床上に弾性台座を介して立設された支持脚群によって複数の床下地パネルを所定の高さレベルに支持して二重床の床下地を形成し、その上に捨張り材を介して床仕上材を敷設した床構造は、乾式二重床構造と呼ばれ、集合住宅や体育施設等に多く採用されている。このような乾式二重床構造では、支持脚の下端にクッションゴム等の弾性台座を設け、二重床に加わった衝撃を緩衝するように工夫されている。
【０００３】
例えば、下端に弾性台座を有する床レベル調整可能な支持脚を床下地パネルの四隅に取り付けたパネルユニットをコンクリートスラブ等の基礎床上に載置し、さらにそのパネルユニット上に捨張り材を配設すると共に、その捨張り材上に床仕上材を配設したもの（特許文献１参照）や、下端にゴム台座が回動自在に装着された棒状脚部と該棒状脚部の上端部に上下調節可能に装着された支持部材とからなるユニット支持脚群と、定尺長方形及び／又は正方形の床下地パネル群とを組み合わせて用い、基礎床の床面上に上記ユニット支持脚を所定ピッチで配置し、所定の間隙を介して配置した床下地パネルをその縁部の所定の位置で上記ユニット支持脚により支持して床下地を形成する乾式二重床の施工方法（特許文献２及び３参照）が開発されている。
【０００４】
このような構成の床構造は、支持脚下端の弾性台座の作用により歩行感、運動感の良好な床面が得られるとともに、その弾性によって床面に作用する衝撃が緩衝されるようになっている。
しかしながら、近年、屋内の騒音、特に床衝撃音の階下への伝播が大きな問題となっている。床衝撃音は支持脚のみを介して伝播するものではなく、床下の空間や壁を介しても伝播するため、支持脚下端に装着された弾性台座のみによっては充分な遮音性は得られ難い。
【０００５】
また、最近では、床仕上材として従来のカーペット等を使用するかわりに、フローリング仕上げ等、木質系のものが特に集合住宅に多用されている。ところが、この木質系の床仕上材を使用すると、カーペット等の柔らかい床仕上材に比べ、床衝撃音が基礎床に直接固体音として伝播し、階下へ大きな騒音をもたらすなど、住宅環境の悪化を招いている。
また、直貼フローリングの場合、フローリングのみで遮音性能を向上させるためには、表面が柔らかいものとせざるを得ず（柔らかくしなければ性能が向上しない）、床衝撃音遮断性能上及び歩行感においても問題が発生している。
【０００６】
乾式遮音二重床は、その下地構造に床衝撃音遮断性能を付与し、またその仕上げはカラーフロアー（フローリング）が多いが、床衝撃音遮断性能を向上させるためには多くの工夫とコストが必要である。例えば、上記のような騒音問題に対する方策として、一般に制振遮音シートが用いられている。このような制振遮音シートとしては、一般に合成樹脂やゴムなどの有機バインダーと金属粉末の混合物をシート状に成形し、表面にフェルト等の繊維層を接着した制振遮音シートが用いられている（特許文献４参照）。
【０００７】
しかしながら、このような制振遮音シートのみで床衝撃音の伝播を充分に低減することは困難である。すなわち、床衝撃音には、食器の落下音、机・椅子の引きずり音、スリッパの歩行音等に代表される堅くて軽い衝撃によって発生する軽量床衝撃音（カタ、コトという音）と、人の跳びはね、飛び降り、走り回り等による柔らかくて重い衝撃によって発生する重量床衝撃音（ドン、ドスンという音）があるが、上記のような従来の制振遮音シートは重量床衝撃音に対しては効果があるものの、軽量床衝撃音に対してはそれ程効果はない。このような問題を解決するため、本出願人自身も、金属粉末を含有するアスファルトシートもしくはゴムアスファルトシートからなる制振遮音性シートを開発しており（特許文献５参照）、これによって、重量床衝撃音に対してだけでなく、軽量床衝撃音に対しても遮音性能を向上させることができる。しかしながら、このような制振遮音性シートを用いた場合、二重床施工のコストが増大してしまうという難点がある。また、ゴム系基材の長期使用に伴う劣化による耐久性の低下等の問題も考えられる。
【０００８】
【特許文献１】
特開平４−８５４５３号公報（特許請求の範囲）
【特許文献２】
特開平３−１７３４８号公報（特許請求の範囲）
【特許文献３】
実開平４−１１６５３７号公報（実用新案登録請求の範囲）
【特許文献４】
特開平７−９０９５１号公報（特許請求の範囲）
【特許文献５】
特開平１０−２５９６５８号公報（特許請求の範囲）
【０００９】
【発明が解決しようとする課題】
本発明は、前記したような従来の問題点を解消するためになされたものであり、その目的は、木質系のフローリングなど硬質系の床仕上材を使用した場合であっても、乾式遮音二重床の下地構造の特徴・性能と直貼フローリングの特徴・性能を上手く組み合わせ、制振遮音性シートを用いなくても、より良い歩行感、耐久性、床衝撃音遮断性能に優れる乾式遮音二重床を提供することにある。
さらに本発明の目的は、床衝撃音遮断性能に優れると共に、作業性、施工性よく施工できる遮音性床構造を比較的低コストで提供することにある。
【００１０】
【課題を解決するための手段】
前記目的を達成するために、本発明によれば、基礎床上に弾性台座を介して立設された支持脚群によって複数の床下地パネルを所定の高さレベルに支持して二重床の床下地を形成し、その上に床仕上材を敷設した床構造において、床下地パネルと床仕上材の間に、曲げ強度３５〜５０（Ｎ／ｍｍ２）、曲げヤング係数４，０００〜５，０００（Ｎ／ｍｍ２）、及び密度０．８〜１．２（ｇ／ｃｍ３）のハードボード又は高密度繊維板を敷設したことを特徴とする遮音性床構造が提供される。
【００１１】
好適な態様においては、前記支持脚は、弾性台座と、該弾性台座に回動自在に立設された中空支持ボルトと、該中空支持ボルトの上端部に螺合されたレベル調整用ナットを介して高さ調整自在に装着された支持板とからなるユニット支持脚であって、上記弾性台座は中空支持ボルトの下端部を収容する穴部を有すると共に、弾性台座の下面に少なくとも１つの溝部が形成されており、上記穴部から上記溝部内に連通する少なくとも１つの連通孔が形成されている。さらに好適には、上記中空支持ボルトの弾性台座の穴部内に収容される部分の所定位置に、横方向に膨出した突出部が形成され、一方、弾性台座の穴部には、穴部内周面に上記中空支持ボルトの突出部を収容するための凹部が形成されており、かつ、穴部底面から側面にかけて上記連通孔と連通する少なくとも１つの溝部が形成されている。さらに、上記弾性台座は、基礎床と接する下面に少なくとも３個以上の突起を設けたものであることが好ましく、また、支持板の上面に仮止め用粘着シートと接着剤流動部を有することも好ましい。
【００１２】
【発明の実施の形態】
本発明者らは、基礎床上に弾性台座を介して立設された支持脚群によって複数の床下地パネルを所定の高さレベルに支持して二重床の床下地を形成し、その上に床仕上材を敷設した床構造において、床下地パネルと床仕上材の間に、曲げ強度３５〜５０（Ｎ／ｍｍ２）、曲げヤング係数４，０００〜５，０００（Ｎ／ｍｍ２）、及び密度０．８〜１．２（ｇ／ｃｍ３）のハードボード又は高密度繊維板を敷設した場合、意外にも、制振遮音性シートを用いた場合と同等もしくはそれ以上の床衝撃音遮断性能を発揮できることを見出し、本発明を完成するに至ったものである。
【００１３】
ハードボードは、パルプ、ケナフ等の植物繊維に、強度や耐水性を増すために樹脂、パラフィン等の若干の薬品を添加し、抄きあげた後、高温高圧下で成形し、さらに加熱・加湿養生を施して物性を高めたものである。一方、高密度繊維板もしくはＨＤＦ（Ｈｉｇｈ  Ｄｅｎｓｉｔｙ  Ｆｉｂｅｒｂｏａｒｄｓ）は、製造時に若干の接着剤（バインダー、フェノール樹脂等）を添加して製造されていることがハードボードと異なる点であり、基本物性はハードボードと異ならないが、内部密度よりも表面密度が高く、従って耐水性がハードボードよりも高く、吸水厚さ膨張率についてハードボードが約２０％であるのに対し、ＨＤＦは２〜３％とかなり低くなっている。ＪＩＳ規格では、主に木材などの植物繊維を成形した繊維板のうち、密度が０．３５ｇ／ｃｍ３以上、０．８０ｇ／ｃｍ３未満のものを繊維板というと規定されているが、ハードボード又は高密度繊維板はこれよりもさらに密度を上げたものである。ハードボード又は高密度繊維板自体は幅広い物性のものが知られているが、その中でも曲げ強度３５〜５０（Ｎ／ｍｍ２）、曲げヤング係数４，０００〜５，０００（Ｎ／ｍｍ２）のものを使用する必要があり、それによって、制振遮音性シートを用いなくても床衝撃音遮断性能に優れる乾式遮音二重床を構築できるということは、驚くべき知見であった。また、このようなハードボード又は高密度繊維板は硬いため、より良い歩行感が得られ、また吸水率が低く（一般に３５％以下、好ましくは２５％以下）、制振遮音性シートに用いられるゴム系基材のように長期使用に伴う劣化の問題も殆どなく、耐久性にも優れている。
【００１４】
なお、床下地パネルと床仕上材の間に、曲げ強度３５〜５０（Ｎ／ｍｍ２）、曲げヤング係数４，０００〜５，０００（Ｎ／ｍｍ２）、及び密度０．８〜１．２（ｇ／ｃｍ３）のハードボード又は高密度繊維板を敷設した場合に、なぜ制振遮音性シートを用いなくても床衝撃音遮断性能に優れる乾式遮音二重床を構築できるかについての理論的な解明は充分になされているとは言えないが、以下のように推論することはできる。すなわち、床下地パネルとして一般に用いられる材料、例えばパーティクルボードは、曲げ強度８〜３０（Ｎ／ｍｍ２）、曲げヤング係数２，０００〜４，０００（Ｎ／ｍｍ２）、及び密度０．４〜０．９（ｇ／ｃｍ３）の物性を有し、強度的に劣るため撓み易く、床上を歩行した際に振動し易いために軋みや振動音を発生し易いという問題がある。そのため、このような物性のパーティクルボードと組み合わせて上記物性のハードボード又は高密度繊維板を敷設することにより、下地材のパーティクルボードの振動を抑制し、床の撓みを少なくすることで、制音性能が向上するものと考えられる。
【００１５】
好適な態様においては、床構造の遮音性能向上のための対策の一つとして、支持脚の下端に装着される弾性台座の下面に３個以上、好ましくは４個又はそれ以上の突起を形成する。弾性台座はゴム等の低反撥弾性の材料から作製されるが、その下面に突起を形成して基礎床との接地面積を小さく、かつ付加される荷重を分散させることにより、床衝撃音レベルの低減効果、特に重量床衝撃音レベルの低減効果が得られる。突起の形状としては、半球状、円筒状、リング状、支持脚軸心を中心とする同心リング状等の任意の形状が考えられ、また各突起の高さを高さ違いに不揃いにすることも可能であるが、好ましくは同一高さの半球状突起が、安定に支持できると共に、基礎床面との接地面積を小さく、しかも適度の弾性（沈み込み）を確保できる点で有利である。なお、弾性台座に対して荷重が伝達される支持脚軸心上には突起を形成しないことが必要である。何故ならば、支持脚軸心上の弾性台座下面に突起を形成した場合、弾性台座下面を平坦にした場合と殆ど同じ床衝撃音レベルの低減しか得られないからである。
【００１６】
上記のように弾性台座の下面に複数の突起を形成する方策は、支持脚が中空の支持ボルト又は中実の支持ボルトのいずれを備える場合でも効果的であるが、床衝撃音の伝播を防止する効果においては、中実の支持ボルトに比べて中空の支持ボルトの方が優れている。
従って、中空支持ボルトの下端部を収容する穴部を有する弾性台座と、該弾性台座に回動自在に立設された中空支持ボルトと、該中空支持ボルトの上端部に螺合されたレベル調整用ナットを介して高さ調整自在に装着された支持板とからなるユニット支持脚であって、上記弾性台座の下面に３個以上、好ましくは４個又はそれ以上の突起を形成したユニット支持脚、特に弾性台座の下面に少なくとも１つの溝部が形成されており、上記穴部から上記溝部内に連通する少なくとも１つの連通孔が形成されているユニット支持脚の使用と、床下地パネルと床仕上材の間への前記特定の物性のハードボード又は高密度繊維板の敷設とを組み合わせて採用することにより、制音性能をより向上できると共に、施工性を大幅に向上できる。
【００１７】
すなわち、一回の接着剤注入作業により、接着剤は床下地パネルとユニット支持脚の支持板との間及びレベル調整用ナットと中空支持ボルトとの間に流入してそれらの間を接着・固定するだけでなく、中空支持ボルトの中央貫通孔及び弾性台座の連通孔の中を流下して弾性台座の下面溝部に達し、該弾性台座と基礎床との間も接着・固定する。従って、一回の接着剤注入作業によって、床下地パネルと支持板との間の接着・固定及びレベル調整用ナットと中空支持ボルトとの間の接着・固定と、中空支持ボルトと弾性台座との間及び弾性台座と基礎床との間の接着・固定を同時に行なうことができ、接着剤注入の作業性が格段に向上する。また、弾性台座の下面に１本又は複数本の溝部が形成されていることにより、弾性台座下面と基礎床の床面との間への接着剤の流入がよりスムーズにかつ均等に行なわれると共に、弾性台座の下面に形成された溝はクッションの役割を果たすので、床に加えられる衝撃を緩和し、遮音・制振効果に優れている。
【００１８】
さらに、一回の接着剤注入作業により、床下地パネルとユニット支持脚の支持板との間の固着と、支持ボルトの緩み止め（支持ボルトとレベル調整用ナットの固着）を同時に行なうことができる結果、床下地パネルに歩行振動が繰り返し加えられても、釘だけによる固定の場合のように床下地パネルの支持板への固定が緩むという恐れがなく、また支持ボルトの緩み止めも同時に達成できるので、ほぼ恒久的に床鳴りを防止できる。
また、ユニット支持脚の支持板上面に１個ずつ接着剤を塗布するのではなく、床下地パネルを敷設した後、隣接する各床下地パネル間のユニット支持脚配置部の間隙から接着剤を注入すればよいので、作業性が極めてよいと共に、塗布作業に比べて作業者の手や衣服、あるいは周囲に接着剤が付着して汚す問題も大巾に緩和される。
【００１９】
【実施例】
以下、添付図面に示す実施例及び試験例を説明しつつ、本発明についてさらに具体的に説明する。
図１は、コンクリートスラブ等の基礎床１００の床面に、支持脚としてのユニット支持脚１により床下地パネル５０を所定の高さレベルに支持して敷設し、次いで前記した物性を有するハードボード又は高密度繊維板５１を敷設して二重床の床下地を形成した後、床仕上材としてフローリング５２を敷設した遮音性床構造の一実施例を示している。
【００２０】
図２乃至図４は、中空支持ボルトを用いたユニット支持脚の好適な実施例を示している。
この実施例のユニット支持脚１は、ゴム等の弾性材料からなる防振性の弾性台座１０と該台座１０に回動自在に立設された中空支持ボルト２０とからなる脚部材と、外周略中央部に突設された環状の支持部３１を有するレベル調整用ナット３０と、中央部に上記レベル調整用ナット３０の上部が嵌合される挿入孔（貫通孔）４１を有する支持板４０とからなる支持部材とから構成されている。支持板４０は正方形又は長方形に形成されているが、その形状は任意で良い。
【００２１】
このユニット支持脚１においては、弾性台座１０の中央部略上半部には中空支持ボルト２０の下端部を挿入するための中央穴部１１が形成されている。また、中央穴部１１の側部内周面には、中空支持ボルト下端部の横方向に膨出する突出部２１を収容するための環状溝状の凹部１４が形成されていると共に、図２及び図３に明瞭に示されているように、中央穴部１１内周面には、底面（配座部）１３から側面にかけて十文字状の溝部１２が形成されている。また、弾性台座１０の下面には、リブ（突条）１７によって断面略コ字状に形成される複数（図示の例では４個）の溝部１６が、中心から外周面にかけて延在するように放射状（十文字状）に突出して形成されている。さらに、図２及び図４に明瞭に示されているように、上記中央穴部１１の溝部１２から上記弾性台座１０下面の溝部１６内に連通する１対の連通孔１５が略垂直に形成されている。なお、連通孔１５は２個形成されているが、上記十文字状の溝部１２に対応して３個もしくは４個、あるいはそれ以上設けてもよく、また使用する接着剤の流動性等によっては１個だけ設けても構わない。
【００２２】
さらに、弾性台座１０の下面には、上記各溝部１６の間に対称的に４個の略半球状の突起１８が形成されている。なお、図２に示す弾性台座１０は、図４に示すＡ−Ａ線から見た断面図を示している。このような半球状突起１８やコ字形に突出した溝部１６を形成することにより、基礎床面との接地面積が小さくなり、支持ボルトを介して受けた荷重が分散し、適度の弾性（沈み込み）を示すことにより、床衝撃音、特に重量床衝撃音の低減効果が得られ、特に集合住宅においては、床衝撃音の階下への伝播防止に効果的である。半球状突起１８及び溝部１６の高さは２〜４ｍｍ程度が好ましく、また同一高さとすることが好ましい。突起の高さが低過ぎると床衝撃音低減効果が弱く、一方、高過ぎると床の沈み込みが大きくなり、安定した歩行感が得られなかったり、床面に段差が生じ易くなるなどの要因となるため好ましくない。
【００２３】
一方、中空支持ボルト２０は、中央貫通孔２２を有する比較的短い中空パイプから作製され、弾性台座１０の中央穴部１１内に収容される下端部には側方に膨出する環状の突出部２１が座屈成形されている。また、上端から所定長さだけ外周面にネジ部２３が形成され、さらに中空支持ボルト２０の頂端部には、ドライバー、電動ドライバー等の回転用工具の先端を係合させるための係止部を構成する溝状の係合部２４（図示の例ではマイナス溝であるが、プラス溝や角型凹陥部であってもよい）が形成されている。
そして、中空支持ボルト２０の下端部を上記弾性台座１０の中央穴部１１に嵌挿することにより、図２に示すように、中空支持ボルト２０はその下端が弾性台座１０の中央穴部１１の底面（配座部）１３により支持されて弾性台座１０に回動自在に立設された状態となり、また突出部２１が弾性台座１０の凹部１４に係合されるため、二重床構築作業中に弾性台座１０からの中空支持ボルト２０の抜けが防止される。
【００２４】
パーティクルボード、積層合板、木質繊維板等から作製されている支持板４０の挿入孔４１上部は面取りされて拡開されている。前記レベル調整用ナット３０は該支持板４０の挿入孔４１に嵌合され、次いでその上部を拡開し、支持板挿入孔４１の面取り部４２に部分的に埋没させることによって、支持板４０に強固に取り付けられる。それと共に、レベル調整用ナット３０の上部には接着剤溜り４３が形成される。
なお、接着剤溜りは、上記実施例のように、レベル調整用ナット自体の上部を拡開して形成してもよく、あるいはレベル調整用ナットが嵌合される支持板の挿入孔上部を面取りして拡開部を形成し、これを接着剤溜りとして利用してもよい。
このようにして支持板４０の挿入孔４１に嵌合されたレベル調整用ナット３０に中空支持ボルト２０のネジ部２３上端部をねじ込むことによって、図２に示すようにユニット支持脚１が組み立てられる。
【００２５】
また、上記ユニット支持脚１の支持板４０の上面には、図２に示すように、両面粘着シート４４が貼着されており、使用に際しては両面粘着シート４４を被覆している剥離シート（図示せず）を剥して用いる。あるいは、支持板４０の上面に粘着剤層を直に塗布し、その上に保管、運搬等に便利なように剥離紙を貼着するようにしてもよい。
上記のようにして組み立てられたユニット支持脚１は、中空支持ボルト２０の頂端面に形成された溝状係合部２４にドライバー等の回転用工具の先端を嵌め込んで回転させることにより、レベル調整用ナット３０及びそれが固定された支持板４０が上下動し、支持板４０により支持されている床下地（床下地パネル５０）の床面レベルを調整することができる。
【００２６】
図５は床下地パネルの配置形態例を示している。二重床の床下地を構築する場合、まず部屋壁又は間仕切１０１の所定の高さに沿って際根太１０２（又は根太ユニット：根太材に１個又は２個以上の平行な貫通孔が形成され、該貫通孔に嵌合された支持ナットに高さ調整可能に支持ボルトが螺合され、その下端に回動自在に装着された弾性台座からなる構造のもの）を設けた後、床下地パネルの形状に対応した所定のピッチＰでユニット支持脚１を設置する。この際、ユニット支持脚１の弾性台座１０の下面は両面粘着シート又は接着剤により基礎床１００の床面に固定することもできる。次いで、際根太１０２（又は根太ユニット）の上にパーティクルボード、積層合板等から作製された床下地パネル５０の一辺を支持し、際根太１０２（又は根太ユニット）に接しない床下地パネル５０の他の縁部は、所定のピッチで基礎床１００上に配置したユニット支持脚１に片持たせの状態で載せて取り付ける。ユニット支持脚１と床下地パネル５０の取付けは、ユニット支持脚１の支持板４０上面に貼着した粘着シート４４等を介して行い、床下地パネル敷設時に床下地パネル５０を粘着シート４４に圧着して仮固定しておく。これによって、施工中にユニット支持脚１の位置がズレたり、倒れたりするのを防止でき、二重床施工の作業性が向上するという利点が得られる。ユニット支持脚１の支持板４０の接着剤溜り４３は床下地パネル５０の縁部から露出した状態とし、上方からドライバー等により支持ボルト２０を回し、床下地パネル５０のレベル（又は支持板４０の上面位）を調節する。隣合う床下地パネルも同様に、既に設置したユニット支持脚１上へ床下地パネル５０のレベル調整ができる所定の間隙Ｗを開けて載せ、同様に他のユニット支持脚１を配置して取り付ける。
【００２７】
このような作業を床下地パネルごと繰り返し、床下地パネルを所定面積施工し、床面レベルを調整した後、隣接する床下地パネル間の間隙部に露出するユニット支持脚１の接着剤溜り４３に接着剤を注入する。使用する接着剤としては、エポキシ系、ウレタン系、酢ビ系などが使用可能であるが、特にエポキシ系、ウレタン系の接着剤が適する。接着剤は、チューブ、ポンプなどの容器に入れ、先の細いノズルにより圧力をかけて押し出し、接着剤溜り４３に注入する。
【００２８】
前記図２乃至図４に示すユニット支持脚１においては、中空支持ボルト２０の中央貫通孔２２と弾性台座１０の中央穴部１１は連通しており、また弾性台座１０の中央穴部１１と下面に形成された溝部１６も連通しているので、先に説明したように床下地パネル５０の敷設及び床面レベルの調整を行なった後、レベル調整用ナット上部に形成された接着剤溜り４３から接着剤を注入すると、接着剤はレベル調整用ナット３０と中空支持ボルト２０との間の螺合部に浸透し、かつ床下地パネル５０と支持板４０との間の隙間４５（接着剤流動部として機能する）にも拡散・浸透してこれらの間を接着・固定するだけでなく、中空支持ボルト２０の中央貫通孔２２及び弾性台座の連通孔１５の中を流下して弾性台座１０との接触面及び弾性台座１０の下面に達し、該弾性台座１０の下面に形成されている溝部１６内に浸入し、中空支持ボルト２０の下端と弾性台座１０との間及び弾性台座１０と基礎床との間も接着・固定する。従って、一回の接着剤注入作業によって、レベル調整用ナットと中空支持ボルトとの間の接着・固定と、床下地パネルと支持板との間の接着・固定と、中空支持ボルトと弾性台座との間及び弾性台座と基礎床との間の接着・固定を同時に行なうことができ、接着剤注入の作業性が格段に向上する。
【００２９】
接着剤固化後、必要に応じて床下地パネル５０からユニット支持脚１の支持板４０に対して釘打ちして固定し、あるいはまた必要に応じて、隣接する床下地パネル間の間隙Ｗを覆うように比較的に剛性のある粘着テープを貼着し又は細長い埋込部材で閉塞するようにしてもよい。その後、前記した物性を有するハードボード又は高密度繊維板５１を敷設（必要に応じて釘打ち固定）し、図１に示すように床下地を形成する。本発明においては、ハードボード又は高密度繊維板５１が従来の二重床構造における捨張り材の機能も果たすため、捨張り材の敷設は不用である。なお、ハードボード又は高密度繊維板は必要に応じて２層以上、あるいはこれらを組み合わせて敷設することもでき、また、床下地パネルの配置形態は図５に示すように千鳥状に配列してもよいし、あるいは平行に配列してもよい。
【００３０】
以上のようにして床下地を形成した後、床仕上材としてフローリング５２を敷設することにより、図１に示すような遮音性床構造が構築される。
なお、前記のように形成された床下地構造には、さらに床衝撃音遮断性能を向上させるために、必要に応じて、鋳鉄粉等の金属粉を含有するゴムアスファルトシートからなる制振遮音性シートあるいはその表面及び／又は裏面にポリエステル不織布、合成樹脂フィルム、金属箔を貼着したものなどの遮音性シートを敷設したり、あるいはポリエステル系、ポリプロピレン系、パルプ系などの不織布、好ましくはポリエステル不織布、特にポリエステル中空繊維の不織布からなる吸音材を床下地パネルの下の支持脚設置箇所を除くほぼ全域に配設したり、あるいは床下空間を格子状に区画閉鎖するように配設することもできる。また、床仕上材としては、前記フローリング（突板張り合板）に限らず、木質系化粧板、合成樹脂製クッションシート、絨毯、カーペット、畳等を用いてもよい。
【００３１】
図６は、中実の支持ボルトを用いたユニット支持脚１の他の実施例を示している。
この実施例のユニット支持脚１においては、ゴム等の弾性材料からなる防振性の弾性台座１０の上面中央部には支持ボルト２０の基端丸棒部２１を挿入するための非貫通の中央穴部１１が形成されている。
一方、金属製の中実の支持ボルト２０は、下端から上方に所定距離離間した位置外周面に側方に突出する環状のフランジ部２５が一体に設けられ、かつフランジ部より上部にはネジ部２３が形成され、またフランジ部２５より下方の基端部は円形断面の丸棒部に形成されており、該基端丸棒部２６の下端には横方向に膨出する突出部２１が形成されている。また支持ボルト２０の頂端面に回転用工具先端を嵌め込むための溝状の係合部２４が形成されていることは前記実施例と同様である。そして、支持ボルト２０の基端丸棒部２６を上記弾性台座１０の中央穴部１１に嵌挿することにより、支持ボルト２０はフランジ部２５を支持部として弾性台座１０に回動自在に立設された状態となる。また、支持ボルト２０の基端丸棒部２６の下端に形成された突出部２１により、一旦支持ボルト２０の基端丸棒部２６が弾性台座１０の中央穴部１１に嵌挿された後は、容易に抜け出ることはない。なお、基端丸棒部２６の長さは弾性台座１０の中央穴部１１の深さよりも浅く、その下方に空気室Ｓが形成されるような長さにしてある。このように基端丸棒部２６の下部に空気室Ｓを設けることにより、空気室Ｓがエアークッションとして機能し、防振効果がさらに向上するが、空気室を設けないようにしても構わない。また、弾性台座１０の中央穴部１１内面にはグリース等の潤滑剤を塗布し、支持ボルト２０の回動が滑らかに行えるようにし、また空気室Ｓを気密状態に封止することが好ましい。
【００３２】
前記図６に示すユニット支持脚を用いた場合、前記したようにして床下地パネルを所定面積施工し、床面レベルを調整した後、隣接する床下地パネル間の間隙部に露出するユニット支持脚１の接着剤溜り４３に接着剤を注入し、支持ボルト２０とレベル調整用ナット３０の固着を行う。また、ユニット支持脚１の支持板４０の上面に、図２に示すように両面粘着シート４４が支持板の両側部のみ又は周囲を囲むように枠状に貼着されて、接着剤溜り４３の周囲に貼着されていない場合には、この部分で床下地パネル５０と支持板４０との間に隙間（接着剤流動部として機能する）が形成されるので、この隙間部分にも接着剤が拡散・浸透してこれらの間を接着・固定することができる。
その後、前記した物性を有するハードボード又は高密度繊維板５１を敷設し、床下地を形成した後、床仕上材としてフローリング５２を敷設する。なお、これ以外の床仕上げが可能なことは先に説明したとおりである。
【００３３】
次に、遮音性床構造についての床衝撃音レベルの試験例を示して本発明の効果について具体的に説明する。
なお、以下の試験例において、床衝撃音レベルの測定方法及び評価は、ＪＩＳＡ  １４１８（建築物の現場における床衝撃音レベルの測定方法）及びＪＩＳＡ  １４１９（建築物の遮音等級）の規定に準じて行った。試験装置、試験方法及び評価方法は以下の通りである。
【００３４】
測定方法：
実験室として、図７に示すように、厚さ２２０ｍｍのコンクリートスラブ（ＲＣ床版）よりなる基礎床１００により階上の音源室１１１と階下の受音室１１２に区画された実験棟１１０を用いた。音源室１１１では、ＲＣ床版上に図８に概略的に示す試験体となる二重床１１３を構築し、ＲＣ床版１と二重床１１３とから測定対象床１１４を構成した。
床衝撃音発生器１１５としては、軽量床衝撃音発生器（タッピングマシン）及び重量床衝撃音発生器（バングマシン）の２種類を用い、３箇所打撃し、発生した床衝撃音は階下の受音室１１２内に設置されたマイクロホン１１６で収音し、受音装置１１７の指示騒音計１１８で受音し、それをオクターブ分析器１１９により、１／１オクターブバンドの各周波数帯域ごとに、その音圧レベルを記録した。その周波数帯域は、６３Ｈｚ、１２５Ｈｚ、２５０Ｈｚ、５００Ｈｚ、１，０００Ｈｚ（１ｋＨｚ）、２，０００Ｈｚ（２ｋＨｚ）、４，０００Ｈｚ（４ｋＨｚ）であり、数字が大きくなるほど高い音であることを表す。
【００３５】
床衝撃音レベル改善量：
（１）実験室における床衝撃音レベル改善量
まず最初に、音源室１１１のコンクリートスラブ（ＲＣ床版素面）１００上を直接床衝撃音発生器（軽量、重量）１１５で打撃し、床衝撃音レベルを受音室１１２内で測定した。
次に、空打をした音源室１１１のコンクリートスラブ（ＲＣ床版）１００上に、所定の大きさの二重床１１３を施工し、上記空打の打撃位置と同じ所で床衝撃音発生器１１５にて床衝撃音を発生させ、受音室１１２にてその床衝撃音レベルを測定した。なお、床衝撃音レベルは、３箇所の打撃点においてそれぞれ３回打撃を繰り返して測定した値の総平均値とした。
上記のようにして得られた測定値から、次式（１）によって実験室における床衝撃音レベル改善量ΔＬを算出した。
ΔＬ＝ＬＯ−Ｌｎ（ｄＢ）  ・・・  （１）
ＬＯ：ＲＣ床版素面の床衝撃音レベル（ｄＢ）
Ｌｎ：二重床構築ＲＣ床版の床衝撃音レベル（ｄＢ）
【００３６】
（２）現場における床衝撃音レベルの推定
前記改善量は床構造自体の絶対的な性能評価であり、ＪＩＳの評価とは異なる。そこで、一般に“Ｌ値”と呼ばれている評価をするために、次式（２）により、現場における床衝撃音レベルの推定を行う。
Ｌ＝Ｌｓ−ΔＬ（ｄＢ）  ・・・  （２）
Ｌｓ：現場で得られたコンクリート床版素面の床衝撃音レベル（ｄＢ）
ΔＬ：実験室における床衝撃音レベル改善量（ｄＢ）
従って、この“Ｌ”がＪＩＳでいう現場における床衝撃音レベルとなり、ＪＩＳ  Ａ  １４１９の図２にこの値を転記し、ＪＩＳの規定によるＬ値を推定することになる。
【００３７】
試験体：
図８に示す構造の測定対象床について床衝撃音レベルの測定を行った。
測定対象床は、コンクリートスラブ（ＲＣ床版）１００上に、図２乃至図４に示す構造の防振ゴム製の弾性台座１０を装着したユニット支持脚１を配置し、また壁際には根太ユニット６０（根太材６３に２個の平行な貫通孔が形成され、該貫通孔に嵌合された支持ナットに高さ調整可能に支持ボルト６２が螺合され、その下端に回動自在に装着された弾性台座６１からなる構造のもの）を配置し、ユニット支持脚１の支持板４０上にその上面の粘着剤層を介して床下地パネル（パーティクルボード製、厚さ２０ｍｍ）５０の端縁部を所定の間隙をあけて敷設し、その上に中間材５１ａとして、試験体１の場合は捨張り合板（厚さ１２ｍｍ）、試験体２の場合は先に説明したようなアスファルト系制振遮音性シート（厚さ６ｍｍ）、試験体３の場合は先に説明したようなハードボード又は高密度繊維板（ニチハ（株）製、ニチハハードボードＳ３５タイプ、厚さ１３ｍｍ）をそれぞれ敷設し、厚さ１２ｍｍのフローリング（突板張り合板）５２で仕上げを行って、床面高さＨが試験体１及び３の場合は１３２ｍｍ、試験体２の場合は１２６ｍｍの高さレベルとなるようにレベル調整を行ったものである。なお、根太ユニット６０の根太材６３及びユニット支持脚１の支持板４０と床下地パネル５０との間、及びフローリング５２、中間材５１ａ、床下地パネル５０間は釘で固定した。
重量床衝撃音レベル測定結果を表１及び図９に示す。また、軽量床衝撃音レベル測定結果を表２及び図１０に示す。
【００３８】
【表１】
0003588097.tif 000002
【００３９】
【表２】
0003588097.tif 000003
表１、２及び図９、１０に示される結果から明らかなように、中間材としてハードボードを用いて構築された二重床は、制振遮音性シートを用いて構築された二重床と同等以上の床衝撃音遮断性能を有していた。
【００４０】
以上、本発明の遮音性床構造の好適な実施例及び試験例を示したが、本発明は前記したような実施例及び試験例に限定されるものではなく、種々の設計変更が可能であり、また種々の床構造に適用できる。例えば、前記したようなユニット支持脚により床下地パネル端縁部を支持する構造に好適に適用できるが、床下地パネルの端縁部に高さ調整自在に支持脚を取り付けた床下地パネルユニットを用いて構築される床構造にも適用できる。また、ユニット支持脚についても、前記した構造のものだけでなく、基礎床面との接地部に弾性台座を有するものであれば種々のユニット支持脚を用いることができる。例えば、支持ボルトとその上部ねじ部に螺合される受け部材（雌ねじを有する床下地パネル支持部材）を硬質プラスチックから作製したユニット支持脚を用いることもできる。また、貫通孔の中央穴部を有する弾性台座を用いることもでき、また支持ボルトが上下端部にねじ部が形成されたものである場合には下端ねじ部を螺合する鍔付きナットを弾性台座の中央穴部に嵌合したユニット支持脚を用いることもできる。さらに、螺合する支持ボルトの雄ねじ部又はレベル調整用ナットの雌ねじに軸線方向に１本又は複数本の溝を形成し、それらの螺合部への接着剤の浸透がよりスムーズに行えるようにすることもできる。さらにまた、支持板上面に複数の溝部を設け、好ましくは接着剤溜りと連通するように放射状に設けて接着剤流動部を形成することにより、床下地パネルと支持板との間の隙間への接着剤の流動をよりスムーズに行なえるようにしてもよい。
【００４１】
【発明の効果】
以上のように、本発明によれば、木質系のフローリングなど硬質系の床仕上材を使用した場合であっても、乾式遮音二重床の下地構造の特徴・性能と直貼フローリングの特徴・性能を上手く組み合わせ、制振遮音性シートを用いなくても、より良い歩行感、耐久性、床衝撃音遮断性能に優れる乾式遮音二重床を作業性、施工性よく低コストで施工できる。
また、弾性台座として基礎床と接する下面に少なくとも３個以上の複数の突起、好ましくは半球状突起を設けたユニット支持脚、特に弾性台座の下面に少なくとも１つの溝部が形成されており、上記弾性台座の中央穴部から上記溝部内に連通する少なくとも１つの連通孔が形成されているユニット支持脚の使用と、床下地パネルと床仕上材の間への前記特定の物性のハードボード又は高密度繊維板の敷設とを組み合わせて採用することにより、個々の構成だけでは不充分な面を補い、効果的に床衝撃音を低減させ、階下への床衝撃音や騒音の伝播を有効に防止することができ、制音性能をより向上できると共に、施工性を大幅に向上できる。
【図面の簡単な説明】
【図１】本発明の遮音性床構造の一実施例を示す概略部分斜視図である。
【図２】本発明の遮音性床構造で用いるユニット支持脚の一実施例の概略縦断面図である。
【図３】図２に示すユニット支持脚の弾性台座の平面図である。
【図４】図２に示すユニット支持脚の弾性台座の底面図である。
【図５】図２に示すユニット支持脚を用いて敷設した床下地パネルの配置形態の一例を示す概略部分平面図である。
【図６】本発明の遮音性床構造で用いるユニット支持脚の他の実施例の概略縦断面図である。
【図７】試験例で使用した測定装置の概略構成図である。
【図８】試験例で用いた遮音性床構造の概略部分断面側面図である。
【図９】試験例で測定した重量床衝撃音レベルの測定結果を示すグラフである。
【図１０】試験例で測定した軽量床衝撃音レベルの測定結果を示すグラフである。
【符号の説明】
１  ユニット支持脚
１０  弾性台座
１７  半球状突起
２０  中空（又は中実）支持ボルト
３０  レベル調整用ナット
４０  支持板
５０  床下地パネル
５１  ハードボード又は高密度繊維板
５２  フローリング
６０  根太ユニット
１００  基礎床（コンクリートスラブ又はＲＣ床版）
１１０  実験棟
１１１  音源室
１１２  受音室
【図１】
0003588097.tif 000004
【図２】
0003588097.tif 000005
【図３】
0003588097.tif 000006
【図４】
0003588097.tif 000007
【図５】
0003588097.tif 000008
【図６】
0003588097.tif 000009
【図７】
0003588097.tif 000010
【図８】
0003588097.tif 000011
【図９】
0003588097.tif 000012
【図１０】
0003588097.tif 000013